(57)【要約】【課題】ユーザが、希望する情報を短時間かつ少ない操作で取得することができるようにする。【解決手段】複数の情報群のそれぞれの中から、ユーザに提示する少なくとも一つの提示情報をそれぞれ抽出する抽出部１２と、この抽出部１２によって各情報群毎に抽出された複数の提示情報を、１の表示画面上５０に表示させる制御部１１と、表示画面５０を表示可能な表示部２１とをそなえて構成する。【選択図】図１
2009116845.tif 000002
【特許請求の範囲】
【請求項１】
複数の情報群のそれぞれの中から、ユーザに提示する少なくとも一つの提示情報をそれぞれ抽出する抽出部と、
該抽出部によって各情報群毎に抽出された複数の該提示情報を、１の表示画面上に表示させる制御部と、
該表示画面を表示可能な表示部とをそなえることを特徴とする、情報処理装置。
【請求項２】
該ユーザの嗜好を示す嗜好情報を格納可能な嗜好情報格納部をそなえ、
該抽出部が、該嗜好情報格納部に格納された該嗜好情報に基づいて、該提示情報を抽出することを特徴とする、請求項１記載の情報処理装置。
【請求項３】
該制御部は、該抽出部によって抽出された該提示情報を並び替えて該表示画面上に表示することを特徴とする、請求項１又は請求項２記載の情報処理装置。
【請求項４】
該複数の情報群ごとに、該ユーザの嗜好を示す嗜好情報を格納可能な嗜好情報格納部をそなえ、
該抽出部は、該嗜好情報格納部に格納された２以上の該嗜好情報に基づいて、いずれか１つの情報群の中から、該提示情報を抽出することを特徴とする、請求項１記載の情報処理装置。
【請求項５】
ユーザに情報を提示する情報提示装置であって、
複数の情報群のそれぞれの中から、該ユーザに提示する少なくとも一つの提示情報をそれぞれ抽出する抽出部と、
該抽出部によって各情報群毎に抽出された複数の該提示情報を、１の表示画面上に表示させる制御部とをそなえることを特徴とする、情報提示装置。
【請求項６】
該ユーザの嗜好を示す嗜好情報を格納可能な嗜好情報格納部をそなえ、
該抽出部が、該嗜好情報格納部に格納された該嗜好情報に基づいて、該提示情報を抽出することを特徴とする、請求項５記載の情報提示装置。
【請求項７】
ユーザに情報を提示する情報提示方法であって、
複数の情報群のそれぞれの中から、該ユーザに提示する少なくとも一つの提示情報をそれぞれ抽出する抽出ステップと、
該抽出ステップにおいて各情報群毎に抽出された複数の該提示情報を、１の表示画面上に表示させる表示ステップとをそなえることを特徴とする、情報提示方法。
【請求項８】
該抽出ステップにおいて、嗜好情報格納部に予め格納された該ユーザの嗜好を示す嗜好情報に基づいて、該提示情報を抽出することを特徴とする、請求項７記載の情報提示方法。
【請求項９】
ユーザに情報を提示する情報提示機能をコンピュータに実行させるための情報提示プログラムであって、
複数の情報群のそれぞれの中から、該ユーザに提示する少なくとも一つの提示情報をそれぞれ抽出する抽出ステップと、
該抽出ステップにおいて各情報群毎に抽出された複数の該提示情報を、１の表示画面上に表示させる表示ステップとを、該コンピュータに実行させることを特徴とする、情報提示プログラム。
【請求項１０】
ユーザに情報を提示する情報提示機能をコンピュータに実行させるための情報提示プロ
グラムを記録したコンピュータ読取可能な記録媒体であって、
該情報提示プログラムが、
複数の情報群のそれぞれの中から、該ユーザに提示する少なくとも一つの提示情報をそれぞれ抽出する抽出ステップと、
該抽出ステップにおいて各情報群毎に抽出された複数の該提示情報を、１の表示画面上に表示させる表示ステップとを、該コンピュータに実行させることを特徴とする、情報提示プログラムを記録したコンピュータ読取可能な記録媒体。
【発明の詳細な説明】
【技術分野】
【０００１】
本発明は、ユーザに情報を提示する技術に関する。
【背景技術】
【０００２】
近年、ＴＶチューナを搭載したパーソナルコンピュータ（Personal Computer；ＰＣ）
を用いて、ＴＶ番組を視聴することが一般的に行なわれている。
具体的には、ＰＣに、ＴＶ放送を受信可能なＴＶチューナをそなえるとともに、ＴＶ番組を視聴するためのプログラム［ＡＶ（Audio Visual）プログラム］を実行することにより、ＴＶ番組を受信して、視聴（再生）や録画を行なうようになっている。
【０００３】
また、このようなＰＣを用いたＴＶ番組の視聴に関し、ユーザの嗜好を分析して、その好みに合ったテレビ番組の放送を予めお知らせする「おすすめ番組」機能も知られている。
この「おすすめ番組」機能は、例えば、ユーザが過去に視聴したテレビ番組や録画したテレビ番組のＳＩ（Service Information）に基づいて、その傾向を分析し、この分析結
果に基づいて、これから放送されるＴＶ番組のＳＩから、その嗜好に一致するＴＶ番組を抽出して、ユーザに対しておすすめ番組として紹介するものである。
【０００４】
具体的には、上述の如く、ユーザの嗜好に一致すると判断され抽出された１以上のおすすめ番組について、その放送予定日や局名，ジャンル，内容等の情報を一覧として表わして構成された“おすすめ画面”をディスプレイに表示させるようになっている。
図１５は従来のＰＣを用いたＴＶ番組視聴システムにおけるおすすめ番組提示手法を説明するための図である。
【０００５】
従来のＴＶ番組視聴システムにおいては、この図１１に示すような、おすすめ番組の一覧を示す専用画面（おすすめ画面）を生成し、このおすすめ画面をディスプレイに表示させるようになっている。
そして、ユーザは、このおすすめ画面に表示された番組一覧を参照し、視聴を希望する番組がある場合には、マウス操作等を行なって、その番組を選択することにより、その選択された番組について、視聴予約や録画予約を行なうことができるのである。
【０００６】
また、上述したＰＣにおいては、録画したＴＶ番組の録画データの一覧（ライブラリ画面）をディスプレイに表示させ、ユーザは、これらの録画データの一覧の中から、ユーザがその録画日時やタイトル等の情報に基づいて、視聴を希望する番組の録画データを探し出して選択することにより、その録画データを再生する。
【０００７】
【特許文献１】特開平１１−００７４５３号公報
【特許文献２】特開２００４−０７２５０２号公報
【発明の開示】
【発明が解決しようとする課題】
【０００８】
しかしながら、ユーザにおいては、必ずしも目的や視聴を希望する対象が明確になっていない場合も多く、ＰＣの電源を投入してから、とりあえず、何か面白いものは無いか？と探す場合もあり、このような場合においては、従来のＴＶ番組視聴システムでは、ユーザは、例えば、先ず、ディスプレイにおすすめ画面を表示させておすすめ番組を確認して、そこに視聴を希望する番組がなければ、次に、ライブラリ画面を表示させて、表示され
た一覧の中から視聴したい録画データを探す操作を行なう必要があり、ユーザが視聴したいＴＶ番組に到達するまでに、時間がかかり煩雑な操作を行なう必要があるという課題がある。
【０００９】
本発明は、このような課題に鑑み創案されたもので、ユーザが、希望する情報を短時間かつ少ない操作で取得することができるようにすることを目的とする。
【課題を解決するための手段】
【００１０】
このため、この情報処理装置は、複数の情報群のそれぞれの中から、ユーザに提示する少なくとも一つの提示情報をそれぞれ抽出する抽出部と、該抽出部によって各情報群毎に抽出された複数の該提示情報を、１の表示画面上に表示させる制御部と、該表示画面を表示可能な表示部とをそなえることを要件とする。
また、この情報提示方法は、ユーザに情報を提示する情報提示方法であって、複数の情報群のそれぞれの中から、該ユーザに提示する少なくとも一つの提示情報をそれぞれ抽出する抽出ステップと、該抽出ステップにおいて各情報群毎に抽出された複数の該提示情報を、１の表示画面上に表示させる表示ステップとをそなえることを要件とする。
【００１１】
さらに、この情報提示プログラムは、ユーザに情報を提示する情報提示機能をコンピュータに実行させるための情報提示プログラムであって、複数の情報群のそれぞれの中から、該ユーザに提示する少なくとも一つの提示情報をそれぞれ抽出する抽出ステップと、該抽出ステップにおいて各情報群毎に抽出された複数の該提示情報を、１の表示画面上に表示させる表示ステップとを、該コンピュータに実行させることを要件とする。
【００１２】
また、このコンピュータ読取可能な記録媒体は、上述した情報提示プログラムを記録したものである。
【発明の効果】
【００１３】
本発明によれば、１の表示画面上に、複数の情報群のそれぞれの中から、それぞれ抽出された提示情報を表示させてユーザに提示することにより、ユーザは、これらの複数の情報群にかかる提示情報を一度に知ることができるので利便性が高く、これにより、ユーザの満足度を向上させることができる。
【発明を実施するための最良の形態】
【００１４】
以下、図面を参照して本発明の実施の形態を説明する。
図１は本発明の一実施形態としての情報処理装置の構成を模式的に示す図である。
本情報処理装置１は、図１に示すように、ＣＰＵ（Central Processing Unit）１０，
ディスプレイ２１，表示制御部２２，ＲＡＭ（Random Access Memory）２３，ＲＯＭ（Read Only Memory）２４，チューナ２５，ＬＡＮ（Local Area Network）インタフェース２６およびＨＤＤ（Hard Disk Drive）２７をそなえたコンピュータシステムとして構成さ
れている。
【００１５】
また、本情報処理装置１は、インターネット４０を介してニュースサーバ３２およびＳＩサーバ３３と通信可能に接続されている。
ニュースサーバ３２は、新聞社等が提供するニュース配信サイトであって、インターネット４０上においてニュースを配信している。又、このニュースサーバ３２は、ＲＳＳ（RDF Site Summary，Rich Site Summary，Really Simple Syndication）に対応しており、最新のニュースの情報を、このＲＳＳにより配信している。
【００１６】
ＳＩサーバ３３は、インターネット４０上においてＥＰＧ（Electronic Program Guide；電子番組表）等のＳＩ（Service Information）情報を提供するものであり、具体的に
は、ＳＩ情報としてＴＶ番組に関する番組情報を配信している。ここで、番組情報としては、電子番組表（ＥＰＧ）やＴＶ番組のタイトル（番組タイトル），出演者名，各番組内容等の詳細情報が提供されている。
【００１７】
また、このＳＩサーバ３３としては、例えば、ＧガイドやＡＤＡＭＳ（Asahi Data And
Multimedia Service）−ＥＰＧ，インターネットＴＶガイド等、種々のサービスが提供
されている。
なお、これらのニュースサーバ３２およびＳＩサーバ３３は、公知であり、その詳細な説明は省略する。
【００１８】
また、情報処理装置１は、図１に示すように、チューナ２５をそなえており、これにより、テレビ放送信号を受信し、テレビ番組の再生や録画を行なうことができるようになっている。
チューナ２５は、放送局３１等から配信される種々のテレビ番組（第１の情報群）にかかるテレビ放送信号を受信・選局し、音声・映像信号を取得するものである。このチューナ２５には、図１に示すように、アンテナ２５１が接続されており、チューナ２５は、このアンテナ２５１を介して、テレビ放送信号の受信を行なうようになっている。
【００１９】
また、このチューナ２５は、上述の如きＴＶ放送のみならず、放送局３１がテレビ放送信号とともに配信するＥＰＧ（Electronic Program Guide：電子番組ガイド）等のＳＩ（Service Information）も受信するようになっている。
ディスプレイ２１は、表示制御部２２による表示制御に基づいて種々の情報を表示可能な表示装置であって、本実施形態においては、ユーザに対して提示される種々の情報やメッセージの他、テレビ番組や録画データ，ニュース等が表示されるようになっている。
【００２０】
表示制御部２２は、ディスプレイ２１の表示制御を行なうものであり、例えば、表示回路をそなえたチップセットやビデオカード等のハードウェアや、ディスプレイドライバ等のソフトウェアにより実現されるものである。
また、このディスプレイ２１には、後述する嗜好に基づく推奨情報の表示画面５０（図４等参照）が表示されるようになっており、表示部として機能するようになっている。
【００２１】
ＨＤＤ（嗜好情報格納部）２７は、種々のデータやＯＳ（Operating System），プログラムを格納する記憶装置であって、本情報処理装置１においては、当該情報処理装置１に情報提示機能を実現させるための情報提示プログラムや、録画データＤＢ（Database）２７１，出現頻度リスト（嗜好情報）２７２，録画予約履歴情報２７３を格納するようになっている。
【００２２】
録画データＤＢ２７１は、例えば、複数の動画データ（情報群，第２の情報群，コンテンツ群）を管理するものであって、動画データ（もしくはその格納位置を示す情報；情報，コンテンツ）と、その動画データにかかる詳細情報とを対応付けて管理するものである。
ここで、詳細情報は、その動画データの内容等を示す情報であり、例えば、動画データがＴＶ番組の録画データである場合には、その詳細情報として、ＴＶ番組のタイトル，出演者名，各番組内容等の情報が用いられるようになっており、これらの情報は、後述するように、ＳＩ（Service Information）情報として後述するＳＩサーバ３３やデジタル放
送波から取得されるようになっている。なお、出現頻度リスト２７２および録画予約履歴情報２７３については、後述する。
【００２３】
ＲＡＭ２３は、後述するＣＰＵ１０が演算や制御を行なう際に、データやプログラムを一時的に格納・展開する記憶装置であり、ＲＯＭ２４は、ＣＰＵ１０が演算や制御を行な
う際に用いるデータやプログラムを予め格納する記憶装置である。
ＬＡＮインタフェース２６は、本情報処理装置１をインターネット４０に通信可能に接続するインタフェース機器であって、これにより、本情報処理装置１が、インターネット４０を介して、ニュースサーバ３２およびＳＩサーバ３３と通信可能に接続されるようになっている。
【００２４】
ＣＰＵ１０は、種々の演算や制御を行なうものであって、本情報処理装置１においては、ＣＰＵ１０が、情報提示プログラムを実行することにより、後述する制御部１１，抽出部１２，エージェント１３および録画・再生部１４として機能するようになっている。
なお、これらの制御部１１，抽出部１２，エージェント１３および録画・再生部１４としての機能を実現するためのプログラム（情報提示プログラム）は、例えばフレキシブルディスク，ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ，ＨＤ  ＤＶＤ等），ブルーレイディスク，磁気ディスク，光ディスク，光磁気ディスク等の、コンピュータ読取可能な記録媒体に記録された形態で提供される。そして、コンピュータはその記録媒体からプログラムを読み取って内部記憶装置または外部記憶装置に転送し格納して用いる。又、そのプログラムを、例えば磁気ディスク，光ディスク，光磁気ディスク等の記憶装置（記録媒体）に記録しておき、その記憶装置から通信経路を介してコンピュータに提供するようにしてもよい。
【００２５】
制御部１１，抽出部１２，エージェント１３および録画・再生部１４としての機能を実現する際には、内部記憶装置（本実施形態ではＲＡＭ２３やＲＯＭ２４）に格納されたプログラムがコンピュータのマイクロプロセッサ（本実施形態ではＣＰＵ１０）によって実行される。このとき、記録媒体に記録されたプログラムをコンピュータが読み取って実行するようにしてもよい。
【００２６】
なお、本実施形態において、コンピュータとは、ハードウェアとオペレーティングシステムとを含む概念であり、オペレーティングシステムの制御の下で動作するハードウェアを意味している。又、オペレーティングシステムが不要でアプリケーションプログラム単独でハードウェアを動作させるような場合には、そのハードウェア自体がコンピュータに相当する。ハードウェアは、少なくとも、ＣＰＵ等のマイクロプロセッサと、記録媒体に記録されたコンピュータプログラムを読み取るための手段とをそなえており、本実施形態においては、情報処理装置１がコンピュータとしての機能を有しているのである。
【００２７】
さらに、本実施形態における記録媒体としては、上述したフレキシブルディスク，ＣＤ，ＤＶＤ，ブルーレイディスク，磁気ディスク，光ディスク，光磁気ディスクのほか、ＩＣカード，ＲＯＭカートリッジ，磁気テープ，パンチカード，コンピュータの内部記憶装置（ＲＡＭやＲＯＭなどのメモリ），外部記憶装置等や、バーコードなどの符号が印刷された印刷物等のコンピュータ読取可能な種々の媒体を利用することができる。
【００２８】
録画・再生部１４は、例えば、チューナ２５によって受信されたテレビ番組の再生（表示）や録画を行なったり、ＨＤＤ２７に格納された動画データを再生するものであり、例えば、ＣＰＵ１０が、ＴＶ表示／録画プログラムや動画再生プログラムを実行すること実現されるようになっている。
又、これらのＴＶ表示／録画プログラム，動画再生プログラムおよび電子番組表プログラムは、本発明の趣旨を逸脱しない範囲で種々変形して実施することができる。
【００２９】
例えば、本情報処理装置１は、ＴＶ表示／録画プログラムや動画再生プログラムの他に、ＰＣ上でさまざまなメディアを手軽に扱うことができるＡＶコンテンツ提示プログラムもそなえており、ユーザの希望に合わせて、ＴＶ表示／録画プログラムや動画再生プログ
ラムに代えて、他のＡＶコンテンツ提示プログラムを用いて、画像や音楽、映像、テレビ、オンラインコンテンツ等のデータを再生することもできるようになっている。
【００３０】
また、本情報処理装置１には、インターネットエクスプローラ（登録商標）等の、インターネット上のコンテンツを表示可能なブラウザがそなえられており、更に、このブラウザの表示画面において、マウスカーソルの移動・決定や、ページの拡大・縮小表示等の操作を、ユーザが操作するリモートコントローラ（リモコン）２８（図９参照）で行なうことができるプログラムをそなえており、インターネット４０上のコンテンツを、このリモコン２８を用いてスムーズに操作することができるようになっている。
【００３１】
また、録画・再生部１４は、ユーザによるＴＶ番組の録画予約が行なわれる度に、その録画予約が行なわれた番組に関するＳＩ情報を取得し、このＳＩ情報を録画予約履歴情報２７３としてＨＤＤ２７に格納するようになっている（図２参照）。
なお、このＳＩ情報は、例えば、放送局３１からデジタル放送波を用いて配信されるようになっており、録画・再生部１４は、このＳＩ情報をチューナ２５を用いて受信し、取得することができる。又、このＳＩ情報には、ＥＰＧに用いられる番組情報も含まれている。
【００３２】
また、録画・再生部１４は、このＳＩ情報をＬＡＮインタフェース２６を介してＳＩサーバ３３から取得することもできるようになっており、例えば、ＴＶ放送がアナログ放送の場合等には、ＳＩサーバ３３から取得するのである。
エージェント１３は、インターネット４０を介してニュースサーバ（ニュース配信サイト）３２等にアクセスして、このニュースサーバ３２によって配信されているニュース（情報群，コンテンツ群；以下ニュース群という場合もある）の中から、ニュースを取得するものであり、例えば、ＲＳＳ（RDF Site Summary，Rich Site Summary，Really Simple
Syndication）リーダとしての機能をそなえている。
【００３３】
抽出部１２は、複数の情報群のそれぞれの中から、すなわち、情報群毎に、ユーザに提示する少なくとも一つの提示情報をそれぞれ抽出するものであり、具体的には、例えば、放送局３１が提供する複数のＴＶ番組（情報群，コンテンツ群；以下ＴＶ番組群という）の中から、ＴＶ番組のＳＩ情報に基づいて、ユーザの嗜好に合ったＴＶ番組（おすすめ番組，提示情報，提示コンテンツ；以下、提示ＴＶ番組という）を抽出したり、ＨＤＤ２７等に格納された複数の動画データ（情報群，コンテンツ群；以下、動画データ群という）の中から、ユーザの嗜好に合った動画データ（提示情報，提示コンテンツ；以下、提示動画データという）を抽出するようになっている。
【００３４】
図２は本発明の一実施形態としての情報処理装置１における抽出部１２による提示ＴＶ番組の抽出手法を説明するための図、図３は本発明の一実施形態としての情報処理装置１における提示ＴＶ番組の抽出に際して用いられる評価アルゴリズムを説明するための図である。
抽出部１２は、録画・再生部１４によって生成された録画予約履歴情報２７３に基づいて、録画予約を行なった各番組のＳＩ情報から、それぞれ言語解析処理（本例では日本語解析処理）により語句抽出を行なう（ステップＡ１０）。なお、この語句抽出には、形態素解析等の手法を用いることにより実現することができる。
【００３５】
そして、抽出部１２は、これらの抽出された語句の出現頻度を集計し（ステップＡ２０）、録画予約から抽出した語句の出現頻度リスト（頻度リスト；嗜好情報）２７２を生成する（ステップＡ３０）。又、この生成された出現頻度リスト２７２は、ＨＤＤ２７等に保存される。
抽出部１２は、この出現頻度リスト２７２において、出現頻度の高い語句をその番組情
報中に含むＴＶ番組をＳＩ情報から検索し（ステップＡ４０）、この検索結果に基づいて、複数の提示ＴＶ番組を抽出することにより、提示ＴＶ番組のリスト（おすすめリスト）を生成するようになっている。
【００３６】
すなわち、抽出部１２は、ＨＤＤ２７に格納された出現頻度リスト（嗜好情報）２７２に基づいて、１以上の提示ＴＶ番組（提示情報）を抽出するのである。
また、抽出部１２は、このおすすめリストの生成に際して、録画履歴の番組情報に登場した名詞をより多く含むＴＶ番組ほど高い優先順位を設定し、又、ＴＶ番組同士の相対的な順位は、名詞が「特徴的であるかどうか」を判断基準として決定する。
【００３７】
例えば、図３に示すように、抽出部１２が、録画予約履歴情報２７３に基づいて、録画予約を行なった各番組のＳＩ情報から語句抽出を行なった結果として取得された各名詞（図３に示す例では、「野球」，「サッカー」，「Ｊリーグ」，「フロンターレ」，「川崎」）について、録画履歴の中での出現頻度と、番組情報全体の中での出現頻度とをそれぞれ算出（計数）する。
【００３８】
そして、抽出部１２は、番組情報全体の中での出現頻度が高い名詞（図３に示す例では、「野球」，「サッカー」）は、数多くのＴＶ番組に登場するため、あまり特徴的ではないと判断する一方、番組情報全体の中での出現頻度が低い名詞（図３に示す例では、「フロンターレ」，「川崎」）は、特徴的な名詞であると判断し、おすすめリストにおいて、これらの特徴的な名詞を番組情報に含むＴＶ番組（提示ＴＶ番組）の優先順位を高くするようになっている。
【００３９】
なお、この抽出部１２によって抽出された提示ＴＶ番組に関する、番組情報の少なくとも一部（例えば、番組タイトルやジャンル，放送日時）は、ＨＤＤ２７やＲＡＭ２３等の所定の記憶領域に一時的に保存されるようになっている。
また、抽出部１２は、ＨＤＤ２７等に格納された複数の動画データ（動画データ群）の中から、ユーザの嗜好に合った提示動画データを抽出する際においても、上述した提示ＴＶ番組の抽出と同様に、出現頻度リスト２７２と、各動画データにかかるＳＩ情報とに基づいて、１以上の提示ＴＶ番組（提示情報）を抽出するようになっている。
【００４０】
なお、この抽出部１２によって抽出された提示動画データに関する、詳細情報の少なくとも一部（例えば、タイトルやジャンル，再生時間）も、ＨＤＤ２７やＲＡＭ２３等の所定の記憶領域に一時的に保存されるようになっている。
さらに、抽出部１２は、エージェント１３によってニュースサーバ３２から取得された複数のニュースの中から、ユーザの嗜好に合ったニュースを抽出するようになっており、例えば、予めユーザが指定したジャンル（金融，スポーツ，社会等）の少なくとも１以上のニュース（提示情報，提示ニュース）を選択的に抽出して、その少なくともヘッドライン（見出し）をニュースサーバ３２から取得するようになっている。
【００４１】
なお、この抽出部１２によって抽出されたニュースのヘッドラインも、ＨＤＤ２７やＲＡＭ２３等の所定の記憶領域に一時的に保存されるようになっている。
制御部１１は、放送局３１から配信されるＴＶ番組群の中から抽出部１２によって抽出された１以上の提示ＴＶ番組にかかる番組情報と、ＨＤＤ２７等に格納された複数の動画データ（動画データ群）の中から抽出部１２によって抽出された１以上の提示動画データにかかる詳細情報と、エージェント１３によってニュースサーバ３２から取得された複数のニュースの中から、抽出部１２によって抽出された１以上の提示ニュースのヘッドラインとを、１の表示画面（以下、嗜好に基づく推奨情報の表示画面）５０に表示させるようになっている。
【００４２】
すなわち、制御部１１は、抽出部１２によって各情報（ＴＶ番組，動画データ，ニュース）毎に抽出された複数の提示情報（提示ＴＶ番組，提示動画データ，提示ニュース）を、１の表示画面上に表示させるようになっている。
図４〜図８はいずれも本発明の一実施形態としての情報処理装置における嗜好に基づく推奨情報の表示画面の例を示す図である。
【００４３】
嗜好に基づく推奨情報の表示画面５０は、本情報処理装置１において、情報提示プログラム（以下、ＡＶソフトという場合もある）を実行した際に、最初に表示される表示画面であって、図４に示すように、ニュースヘッドライン領域５１，ＴＶ番組情報領域５２，動画データ情報領域５３，時刻表示領域５４および天気情報領域５５をそなえて構成されている。
【００４４】
ここで、ニュースヘッドライン領域５１は、１以上の提示ニュースのヘッドラインを表示させる領域であり、制御部１１は、このニュースヘッドライン領域５１に、抽出部１２によって抽出され、ＨＤＤ２７やＲＡＭ２３等の所定の記憶領域に一時的に保存されたニュースのヘッドラインを表示させるよう表示制御を行なうようになっている。
なお、図４に示す例においては、このニュースヘッドライン領域５１に、４つの提示ニュースヘッドラインを並べて表示するとともに、ニュースを示すアイコン５１１をそなえている。又、このアイコン５１１のデザインは種々変形して実施することができる。
【００４５】
また、ＴＶ番組情報領域５２は、１以上の提示ＴＶ番組の番組情報を表示させる領域であり、制御部１１は、このＴＶ番組情報領域５２に、抽出部１２によって抽出され、ＨＤＤ２７やＲＡＭ２３等の所定の記憶領域に一時的に保存された提示ＴＶ番組に関する、番組情報の少なくとも一部（例えば、番組タイトルやジャンル，放送日時）を表示させるよう表示制御を行なうようになっている。
【００４６】
なお、図４に示す例においては、このＴＶ番組情報領域５２に、３つの提示ＴＶ番組を並べて表示するとともに、ＴＶ番組を示すアイコン５２１をそなえている。
また、このＴＶ番組情報領域５２においては、録画予約が既に行なわれているＴＶ番組には、その旨を示す情報（図４に示す例においては、丸の中に文字「済」を配置して形成したマーク）を付して示している。
【００４７】
そして、これらのアイコン５２１や、録画予約が既に行なわれていることを示すマークのデザインは種々変形して実施することができる。
さらに、動画データ情報領域５３は、１以上の提示動画データにかかる詳細情報を表示させるものであり、制御部１１は、この動画データ情報領域５３に、抽出部１２によって抽出され、ＨＤＤ２７やＲＡＭ２３等の所定の記憶領域に一時的に保存された提示動画データに関する、詳細情報の少なくとも一部（例えば、タイトルやジャンル，再生時間）を表示させるよう表示制御を行なうようになっている。
【００４８】
なお、図４に示す例においては、この動画データ情報領域５３に、３つの提示動画データにかかる詳細情報を並べて表示するとともに、動画データを示すアイコン５３１をそなえている。
また、この動画データ情報領域５３においては、新たに追加された動画データには、その旨を示す情報（図４に示す例においては、「Ｎｅｗ！」の文字）を付して示している。又、これらのアイコン５３１や、新たに追加された動画データであることを示すマーク（文字）のデザインは種々変形して実施することができる。
【００４９】
時刻表示領域５４は、現在時刻を表示する領域であり、制御部１１は、この時刻表示領域５４に、例えば、本情報処理装置１にそなえられた時計機能から得られる現在時刻や、
ＬＡＮインタフェース２６を介してＮＴＰサーバ／ＳＮＴＰサーバやＴＩＭＥサーバ等に問い合せて得られた現在時刻を表示させるよう表示制御を行なうようになっている。
また、天気情報領域５５は、気象情報（天気予報）を表示させる領域であり、制御部１１は、この天気情報領域５５に、例えば、放送局３１から配信されるデジタル放送信号に含まれるデータ放送から抽出した天気予報や、ＬＡＮインタフェース２６を介してインターネットから取得した天気予報データを表示させるよう表示制御を行なうようになっている。
【００５０】
なお、この天気情報領域５５に表示させる天気予報データは、当該情報処理装置１が設置されている地方に関するものが表示されるようになっている。
すなわち、嗜好に基づく推奨情報の表示画面５０は、放送局３１から配信されるＴＶ番組群の中から抽出部１２によって抽出された１以上の提示ＴＶ番組にかかる番組情報と、ＨＤＤ２７等に格納された複数の動画データ（動画データ群）の中から抽出部１２によって抽出された１以上の提示動画データにかかる詳細情報と、エージェント１３によってニュースサーバ３２から取得された複数のニュースの中から抽出部１２によって抽出された１以上の提示ニュースのヘッドラインとを、同一画面上に配置して構成された表示画面（嗜好に基づく推奨情報の表示画面）であり、制御部１１は、このような嗜好に基づく推奨情報の表示画面５０を形成し、ディスプレイ２１に表示させる制御を行なうのである。
【００５１】
また、この嗜好に基づく推奨情報の表示画面５０におけるユーザによる選択操作は、例えば、本情報処理装置１の入力装置としてそなえられたマウスやキーボード（図示省略）から行なってもよく、又、リモコン２８を用いてもよく、本発明の趣旨を逸脱しない範囲で種々変形して実施することができる。
なお、リモコン２８を用いてブラウザ上での操作を行なう場合には、前述したリモコンでブラウザ操作するプログラムと組み合わせることにより行なう。
【００５２】
そして、この図４に示した嗜好に基づく推奨情報の表示画面５０において、ユーザが、例えば、ＴＶ番組の視聴を希望し、ＴＶ番組情報領域５２において、ＴＶ番組（おすすめ番組）の一つを選択すると、図５に示すように、ＴＶ番組情報領域５２において、その選択されたＴＶ番組を枠で囲む等、その表示状態が変更され、その後、図６に示すように、図５中において選択されたＴＶ番組（おすすめ番組）に対して操作可能な処理が、ポップアップウィンドウの形式で、操作候補として表示されるようになっている。
【００５３】
なお、図中、既述の符号と同一の符号は同一もしくは略同一の部分を示しているので、その説明は省略する。
この図６に示す例においては、選択されたＴＶ番組に対して、「予約する」もしくは「詳細をみる」の２種類の操作を行なうことができるようになっており、ユーザが「予約する」を選択する場合には、例えば、録画・再生部１４によって、そのＴＶ番組の録画予約が行なわれるようになっている。一方、ユーザが「詳細をみる」を選択する場合には、そのＴＶ番組に関する番組情報が表示されるようになっている。
【００５４】
また、これらの「予約する」および「詳細をみる」のいずれも選択しない場合には、「閉じる」を選択することにより、図５に示す状態に戻ることができるようになっている。
さらに、図４に示した嗜好に基づく推奨情報の表示画面５０において、ユーザが、例えば、ニュースの視聴を希望し、そのニュースヘッドライン領域５１の選択を行なうと、図７に示すように、ニュースヘッドライン領域５１全体を枠で囲むとともに当該ニュースヘッドライン領域５１内の背景色を変更する等、その表示状態が変更される。
【００５５】
そして、その後、例えば、ブラウザが起動され、このブラウザにおいて、エージョント１３によってニュースサーバ３２から取得されたニュースのヘッドラインの一覧が表示さ
れ（図示省略）、ユーザが、これらのニュースヘッドラインの中から、視聴を希望する任意のニュースを選択することにより、そのニュースが、ブラウザ上に表示されるのである。
【００５６】
また、図４に示した嗜好に基づく推奨情報の表示画面５０において、ユーザが、例えば、動画データの視聴を希望し、動画データ情報領域５３において、動画データの一つを選択すると、図８に示すように、動画データ情報領域５３において、その選択された動画データを枠で囲む等、その表示状態が変更され、動画データの再生が開始される。
図９は本発明の一実施形態としての情報処理装置１におけるソフトウェア構成を模式的に示す図である。
【００５７】
この図９に示すように、本情報処理装置１においては、前述の如く、ブラウザ，リモコンでブラウザを操作するプログラム，動画再生プログラム，電子番組表プログラム，ＴＶ表示／録画プログラム， 他のＡＶコンテンツ提示プログラムがインストールされており
、又、これらの各プログラムは、嗜好に基づく推奨情報の表示画面５０における、ニュースヘッドライン領域５１，ＴＶ番組情報領域５２，動画データ情報領域５３，時刻表示領域５４および天気情報領域５５のいずれかに関係付けられている。
【００５８】
ユーザが、リモコン２８を操作して、嗜好に基づく推奨情報の表示画面５０において、例えば、ニュースヘッドライン領域５１に表示されたニュースや天気情報領域５５に表示された天気予報を選択した場合には、ブラウザが起動されて、このブラウザ上にニュースや天気予報が表示される。又、この際、インターネット上のコンテンツをリモコン２８の操作で操作できるプログラムが起動され、リモコン２８を用いてブラウザ上で選択等の操作を行なうことができるのである。
【００５９】
また、ユーザが動画データ情報領域５３に表示された動画データを選択した場合には、例えば、動画再生プログラムが起動され、この動画再生プログラムにより、選択された動画データの再生が開始される。
一方、ユーザが、ＴＶ番組情報領域５２に表示されたＴＶ番組の再生予約や録画予約を行なう場合には、例えば、電子番組表プログラムが起動されて予約が行なわれ、又、ＴＶ表示／録画プログラムが起動されて、そのＴＶ番組の視聴を行なうことができるのである。
【００６０】
また、ユーザは、希望に応じて、嗜好に基づく推奨情報の表示画面５０に代えて、他のＡＶコンテンツ提示プログラムを起動して、これらを用いて、種々のコンテンツの再生等を行なうことができるようになっている。
上述の如く構成された、本発明の一実施形態としての情報処理装置１の利用方法を、図１０に示すフローチャート（ステップＢ１０〜Ｂ４０）に従って説明する。
【００６１】
ユーザが本情報処理装置１に電源を投入（電源ｏｎ）し、何か面白いものはないか？とＡＶソフトを起動する（ステップＢ１０）。このＡＶソフトが起動されることにより、ディスプレイ２１には嗜好に基づく推奨情報の表示画面５０が表示される。この嗜好に基づく推奨情報の表示画面５０においては、種々のジャンルの情報（ＴＶ番組，動画データ，ニュース）が一度に提示され、ユーザは、煩雑な画面の切替操作を行なわずに、種々のジャンルの情報に目を通すことができる（ステップＢ２０）。
【００６２】
そして、ユーザはこの嗜好に基づく推奨情報の表示画面５０に表示された種々のジャンルの情報（ＴＶ番組，動画データ，ニュース）について、視聴を希望する情報があれば、その情報を選択して表示等を行なわせる。
また、この嗜好に基づく推奨情報の表示画面５０において、視聴を希望する情報がなか
った場合や、既に全ての情報を視聴してしまっている場合には、他におすすめはないか、情報処理装置１の検索機能を用いて探し（ステップＢ２０）、その検索結果を視聴／閲覧する（ステップＢ３０）。
【００６３】
ユーザは、情報の視聴／閲覧を終了するか否かの判断を行ない（ステップＢ４０）、終了しない場合には（ステップＢ４０のＮＯルート参照）、ステップＢ２０に戻り、又、終了する場合には（ステップＢ４０のＹＥＳルート参照）、処理を終了する。
このように、本発明の一実施形態としての情報処理装置１によれば、１つの嗜好に基づく推奨情報の表示画面５０に、種々のジャンル（カテゴリ，情報群）の情報（例えば、ＴＶ番組，動画データ，ニュース）を表示させてユーザに提示することにより、ユーザが、これらの複数のジャンルにかかる提示情報（例えば、提示ＴＶ番組，提示動画データ，提示ニュース）を一度に知ることができるので利便性が高く、これにより、ユーザの満足度を向上させることができる。
【００６４】
また、抽出部１２が、録画予約から抽出して生成した出現頻度リスト２７２に基づいて、提示情報を抽出することにより、ユーザの嗜好を確実に反映させることができるとともに、ユーザがわざわざ嗜好情報を登録する必要もなく利便性が高い。
さらに、抽出部１２が、おすすめリストの生成に際して、録画履歴の番組情報に登場した名詞をより多く含むＴＶ番組ほど高い優先順位を設定し、又、ＴＶ番組同士の相対的な順位は、名詞が「特徴的であるかどうか」を判断基準として決定することにより、ユーザの嗜好を確実に反映させることができる。
【００６５】
なお、上述した実施形態に関わらず、本発明の趣旨を逸脱しない範囲で種々変形して実施することができる。
例えば、図５に示す嗜好に基づく推奨情報の表示画面５０の例においては、上述した実施形態においては、ニュースヘッドライン領域５１に４つの提示ニュースヘッドラインを、ＴＶ番組情報領域５２に３つの提示ＴＶ番組を、動画データ情報領域５３に３つの提示録画データをそれぞれ示しているが、これに限定されるものではなく、文字サイズ等を変更して、これら以外の数でそれぞれ表示させてもよく、本発明の趣旨を逸脱しない範囲で種々変形して実施することができる。
【００６６】
そして、ニュースヘッドライン領域５１に提示ニュースヘッドラインを、ＴＶ番組情報領域５２に提示ＴＶ番組を、動画データ情報領域５３に提示動画データをそれぞれ表示させる際に、ニュースヘッドライン領域５１やＴＶ番組情報領域５２，動画データ情報領域５３に対して、表示させる提示ニュースヘッドラインや提示ＴＶ番組，提示動画データの数が多く、全てを一度に表示させることができない場合には、嗜好に基づく推奨情報の表示画面５０内にスクロールバーやスクロールボタンを配置し、ユーザがこれらのスクロールバーやスクロールボタンを操作することにより、各領域に入りきらなかった提示ニュースヘッドラインや提示ＴＶ番組，提示動画データをスクロールさせてもよい。
【００６７】
また、上述した実施形態においては、嗜好に基づく推奨情報の表示画面５０が、ニュースヘッドライン領域５１，ＴＶ番組情報領域５２，動画データ情報領域５３，時刻表示領域５４および天気情報領域５５をそなえて構成されているが、これに限定されるものではなく、上述したニュース，ＴＶ番組，動画データ，時刻および天気予報以外の情報を示してもよく、又、これらのうち、いずれかを表示しないようにしてもよい。
【００６８】
例えば、嗜好に基づく推奨情報の表示画面５０上に、インターネット４０上において動画配信サーバから配信されている動画像（ネット動画）を提示してもよい。
動画配信サーバは、インターネット４０上において動画像データを配信するものであり、ユーザは、インターネット４０を介してこの動画像データをダウンロードして、再生し
たり、ＨＤＤ２７等の記憶媒体に保存したりすることができるようになっている。
【００６９】
そして、本情報処理装置１においては、この動画配信サーバから取得したネット動画の提示を行なうに際して、抽出部１２が、提示ＴＶ番組や提示動画データと同様に、そのネット動画に付加された付加情報（ＳＩ情報）に対して、前述した出現頻度リスト２７２に基づく検索を行ない、ユーザの嗜好に合う１以上のネット動画（提示ネット動画）を抽出してもよく、更に、この際、特徴的な名詞による優先順位の設定を行なってもよく、本発明の趣旨を逸脱しない範囲で種々変形して実施することができる。
【００７０】
また、上述した実施形態においては、情報処理装置１においてユーザに対しておすすめ情報を提示する例について説明したが、これに限定されるものではなく、例えば、ＰＶＲ（Personal Video Recorder、ＨＤＤやＤＶＤ等を搭載した録画装置；情報提示装置）等
の他の装置において行なってもよく、本発明の趣旨を逸脱しない範囲で種々変形して実施することができる。
【００７１】
また、抽出部１２による、提示ＴＶ番組等の抽出手法は、上述した実施形態に限定されるものではなく、既知の種々の手法を用いて実現することができる。
なお、本発明の実施形態が開示されていれば、本発明を当業者によって実施・製造することが可能である。
【００７２】
＜＜変形形態＞＞
図１１は、変形形態を模式的に示す図である。
変形形態に係る情報処理装置１も、ＨＤＤ（嗜好情報格納部）２７に、情報提示機能を実現させるための情報提示プログラム（１１〜１４）や、録画データＤＢ２７１，出現頻度リスト（嗜好情報）２７２ｔ，２７２ｎ，録画予約履歴情報２７３を、格納している。
【００７３】
そして、上述した実施形態と同様に、変形形態においても、抽出部１２が、録画・再生部１４によって生成された録画予約履歴情報２７３に基づいて、録画予約を行った各番組のＳＩ情報から、言語解析処理（本例では日本語解析処理）により、語句を抽出して、番組用の出現頻度リスト（嗜好情報）２７２ｔを生成する処理を行うようになっている。
その抽出部１２は、その番組用の出現頻度リスト（嗜好情報）２７２ｔにおける出現頻度の高い語句を検索条件として、放送局３１やＳＩサーバ３３から配信される番組情報を検索するようになっている。抽出部１２が検出した番組情報は、制御部１１によって、提示ＴＶ番組に係る番組情報として、表示画面５０のＴＶ番組情報領域５２に表示されるようになっている。
【００７４】
また、上述した実施形態と同様に、変形形態においても、抽出部１２は、その番組用の出現頻度リスト（嗜好情報）における出現頻度の高い語句を検索条件として、録画データＤＢ２７１内の複数の動画データに係る詳細情報を検索するようになっている。抽出部１２が抽出した詳細情報は、制御部１１によって、提示動画データに係る詳細情報として、表示画面５０の動画データ情報領域５３に表示されるようになっている。
【００７５】
また、上述した実施形態と同様に、変形形態でも、抽出部１２が、エージェント１３によってニュースサーバ３２から取得された複数のニュースのうち、ユーザによって閲覧されたニュースに基づいて、日本語解析処理により、語句を抽出して、ニュース用の出現頻度リスト（嗜好情報）２７２ｎを生成する処理を行うようになっている。
その抽出部１２は、そのニュース用の出現頻度リスト（嗜好情報）２７２ｎにおける出現頻度の高い語句を検索条件として、エージェント１３が取得したニュースヘッドラインを検索するようになっている。抽出部１２が検出したニュースヘッドラインは、制御部１１によって、提示ニュースに係るニュースヘッドラインとして、表示画面５０のニュース
ヘッドライン領域５１に表示されるようになっている。
【００７６】
さらに、変形形態の情報処理装置１は、上述した実施形態にない機能として、ＲＳＳリーダ１５をＨＤＤ２７に備えている。ＲＳＳリーダ１５は、インターネット４０を介してＲＳＳ情報を取得するプログラムである。
変形形態の抽出部１２は、このＲＳＳリーダ１５が取得したＲＳＳ情報の中から、番組用の出現頻度リスト（嗜好情報）２７２ｔと、ニュース用の出現頻度リスト（嗜好情報）２７２ｎとに基づいて、表示画面５０に表示すべきＲＳＳ情報を検索するようになっている。そして、変形形態の制御部１１が、抽出部１２が検出したＲＳＳ情報を、提示情報として、表示画面５０のＲＳＳ情報表示領域５６に表示するようになっている。
【００７７】
図１２は、変形形態における表示画面５０の例を示す図である。
変形形態における表示画面５０にも、ニュースヘッドライン領域５１、ＴＶ番組情報領域５２、動画データ情報領域５３が、含まれており、さらに、ＲＳＳ情報表示領域５６が、追加されている。ＲＳＳ情報表示領域５６には、ＲＳＳリーダ１５が取得したＲＳＳ情報のうち、抽出部１２が抽出したＲＳＳ情報が、一覧表示されている。
【００７８】
ＲＳＳ情報表示領域５６に表示されたＲＳＳ情報が、ユーザによって選択されると、抽出部１２が、その選択されたＲＳＳ情報に基づいて、日本語解析処理により語句を抽出して、お好み用の出現頻度リスト（嗜好情報）２７２ｃを生成する処理を行うようになっている。
【００７９】
なお、変形形態の抽出部１２は、ＲＳＳリーダ１５が取得したＲＳＳ情報の中から、表示画面５０に表示すべきＲＳＳ情報を検索する場合において、お好み用の出現頻度リスト（嗜好情報）２７２ｃにおける出現頻度の蓄積が少ないときには、番組用の出現頻度リスト（嗜好情報）２７２ｔと、ニュース用の出現頻度リスト（嗜好情報）２７２ｎとを利用し、お好み用の出現頻度リスト（嗜好情報）２７２ｃにおける出現頻度の蓄積が多くなってきたときには、３個の出現頻度リスト（嗜好情報）２７２ｔ、２７２ｎ、２７２ｃを利用する。
【００８０】
図１３及び図１４は、変形形態の情報提示プログラム（ＡＶソフト）による処理の流れを示すフローチャートである。
情報処理装置１は、ユーザからの起動指示があると、情報提示プログラム（１１〜１５）を起動する。すると、抽出部１２が、前述したように、番組用の出現頻度リスト（嗜好情報）２７２ｔにおける出現頻度の高い語句を検索条件として、放送局３１やＳＩサーバ３３から配信される番組情報を検索する処理を行い（Ｓ０１）、続いて、前述したように、番組用の出現頻度リスト（嗜好情報）における出現頻度の高い語句を検索条件として、録画データＤＢ２７１内の複数の動画データに係る詳細情報を検索する処理を行い（Ｓ０２）、さらに、前述したように、ニュース用の出現頻度リスト（嗜好情報）２７２ｎにおける出現頻度の高い語句を検索条件として、エージェント１３が取得したニュースヘッドラインを検索する処理を行う（Ｓ０３）。
【００８１】
続いて、抽出部１２は、ＲＳＳリーダ１５からＲＳＳ情報を取得し（Ｓ０４）、各ＲＳＳ情報の嗜好度を算出する。嗜好度は、３個の出現頻度リスト（嗜好情報）２７２ｔ、２７２ｎ、２７２ｃにおける出現頻度の高い語句が含まれる度合いであり、出現頻度の高い語句が多く含まれるほど、嗜好度が高くなる。全てのＲＳＳ情報について、嗜好度を算出すると、抽出部１２は、ＲＳＳ情報を、その嗜好度の高さの順に並べ替え（Ｓ０５）、上位の所定数を抽出する（Ｓ０６）。
【００８２】
その後、制御部１１は、表示画面５０をディスプレイ２１に表示させる制御を行う。こ
の表示画面５０は、抽出部１２が検出した番組情報、詳細情報、ニュースヘッドラインを、それぞれ、ニュースヘッドライン領域５１、ＴＶ番組情報領域５２、動画データ情報領域５３に含むとともに、抽出部１２が抽出したＲＳＳ情報を、ＲＳＳ情報領域５６に含んでいる。また、ＲＳＳ情報領域５６内では、ＲＳＳ情報は、嗜好度が高い順に並べられている。
【００８３】
制御部１１は、その表示画面５０内の幾つかの選択肢のうちの１がユーザによって選択されるまで待機し、その選択を受け付けると（Ｓ０９）、受け付けた選択事項が終了指示か否かを判別する（Ｓ１０）。選択事項が終了指示でなければ、制御部１１は、ＲＳＳ情報領域５６内のＲＳＳ情報が選択されたか否かを判別し（Ｓ１１）、ＲＳＳ情報が選択されていなければ、選択された事項に応じた処理を行って（Ｓ１２）、選択を受け付ける状態に戻る（Ｓ０９）。一方、ＲＳＳ情報が選択されていれば、制御部１１は、ディスプレイ２１の表示を、選択されたＲＳＳ情報に基づくページへ切り替える処理を行う（Ｓ１３）。
【００８４】
その後、制御部１１は、選択されたＲＳＳ情報から、日本語解析処理により、語句を抽出して（Ｓ１４）、お好み用の出現頻度リスト（嗜好情報）２７２ｃを更新する処理を行い（Ｓ１５）、選択を受け付ける状態に戻る（Ｓ０９）。
【００８５】
一方、制御部１１は、ユーザから受け付けた選択事項が終了指示であれば、情報提示プログラム（ＡＶソフト）による処理を終了する。
【００８６】
このように、本発明の変形形態としての情報処理装置１によっても、１つの嗜好に基づく推奨情報の表示画面５０に、種々のジャンル（カテゴリ，情報群）の情報（例えば、ＴＶ番組，動画データ，ニュース，ＲＳＳ情報）を表示させてユーザに提示することにより、ユーザが、これらの複数のジャンルにかかる提示情報（例えば、提示ＴＶ番組，提示動画データ，提示ニュース，提示ＲＳＳ情報）を一度に知ることができるので利便性が高く、これにより、ユーザの満足度を向上させることができる。
【００８７】
而も、変形形態によれば、ＲＳＳリーダ１５が取得したＲＳＳ情報は、少なくとも、番組用の出現頻度リスト（嗜好情報）２７２ｔとニュース用の出現頻度リスト（嗜好情報）２７２ｎとに基づいて、取捨選択されてから、表示画面５０のＲＳＳ情報領域５６内に表示される。このため、ユーザの嗜好が高い情報だけを提示することができるようになる。
【００８８】
そのうえ、ＲＳＳ情報領域５６内では、ＲＳＳ情報は、嗜好度の高い順に並べられ、嗜好度の高いもの程、上の行に表示されるため、ユーザの嗜好が高い情報が、スクロール操作を必要とする位置に表示されることがない。
【００８９】
なお、この変形形態では、表示画面５０における各領域５１〜５３、５６の並び順は、固定されていたが、各領域５１〜５３、５６の並び順は、可変であっても良い。例えば、制御部１１は、各領域５１〜５３、５６について、その領域内の各情報（番組情報、動画データ情報、ニュース、ＲＳＳ情報）の嗜好度を算出してそれら嗜好度の平均値を算出し、嗜好度の平均値の高い順に、各領域５１〜５３、５６を上から順に並べても良い。また、各領域５１〜５３、５６は、嗜好度の平均値の高い順ではなく、各領域５１〜５３、５６における情報の選択回数の多い順に、並べられていても良い。
【００９０】
また、この変形形態では、表示画面５０における各領域５１〜５３、５６の大きさは、固定されていたが、各領域５１〜５３、５６の大きさは、可変であっても良い。例えば、制御部１１は、各領域５１〜５３、５６について、その領域内の各情報（番組情報、動画データ情報、ニュース、ＲＳＳ情報）の嗜好度の平均値を算出し、嗜好度の平均値の高い
順に、各領域５１〜５３、５６の大きさを広くしても良い。また、各領域５１〜５３、５６は、嗜好度の平均値の高い順ではなく、各領域５１〜５３、５６における情報の選択回数の多い順に、広くなっていても良い。
【００９１】
そして、本発明は、以下に示すように要約することができる。
【００９２】
（付記１）  複数の情報群のそれぞれの中から、ユーザに提示する少なくとも一つの提示情報をそれぞれ抽出する抽出部と、
該抽出部によって各情報群毎に抽出された複数の該提示情報を、１の表示画面上に表示させる制御部と、
該表示画面を表示可能な表示部とをそなえることを特徴とする、情報処理装置。
【００９３】
（付記２）  該ユーザの嗜好を示す嗜好情報を格納可能な嗜好情報格納部をそなえ、
該抽出部が、該嗜好情報格納部に格納された該嗜好情報に基づいて、該提示情報を抽出することを特徴とする、付記１記載の情報処理装置。
（付記３）  ＴＶ放送を受信可能なＴＶチューナをそなえ、
前記複数の情報群がＴＶ番組をそなえることを特徴とする、付記１又は付記２記載の情報処理装置。
【００９４】
（付記４）  該情報群が動画データをそなえることを特徴とする、付記１〜付記３のいずれか１項に記載の情報処理装置。
（付記５）  該複数の情報群ごとに、該ユーザの嗜好を示す嗜好情報を格納可能な嗜好情報格納部をそなえることを特徴とする、付記１記載の情報処理装置。
【００９５】
（付記６）  該制御部は、該抽出部によって抽出された該提示情報を並び替えて該表示画面上に表示することを特徴とする、付記１又は付記２記載の情報処理装置。
（付記７）  該複数の情報群ごとに、該ユーザの嗜好を示す嗜好情報を格納可能な嗜好情報格納部をそなえ、
該抽出部は、該嗜好情報格納部に格納された２以上の該嗜好情報に基づいて、いずれか１つの情報群の中から、該提示情報を抽出することを特徴とする、付記１記載の情報処理装置。
【００９６】
（付記８）  ユーザに情報を提示する情報提示装置であって、
複数の情報群のそれぞれの中から、該ユーザに提示する少なくとも一つの提示情報をそれぞれ抽出する抽出部と、
該抽出部によって各情報群毎に抽出された複数の該提示情報を、１の表示画面上に表示させる制御部とをそなえることを特徴とする、情報提示装置。
【００９７】
（付記９）  該ユーザの嗜好を示す嗜好情報を格納可能な嗜好情報格納部をそなえ、
該抽出部が、該嗜好情報格納部に格納された該嗜好情報に基づいて、該提示情報を抽出することを特徴とする、付記８記載の情報提示装置。
（付記１０）  前記複数の情報群がＴＶ番組をそなえることを特徴とする、付記８又は付記９記載の情報提示装置。
【００９８】
（付記１１）  該情報群が動画データをそなえることを特徴とする、付記８〜付記１０のいずれか１項に記載の情報提示装置。
（付記１２）  ユーザに情報を提示する情報提示方法であって、
複数の情報群のそれぞれの中から、該ユーザに提示する少なくとも一つの提示情報をそれぞれ抽出する抽出ステップと、
該抽出ステップにおいて各情報群毎に抽出された複数の該提示情報を、１の表示画面上
に表示させる表示ステップとをそなえることを特徴とする、情報提示方法。
【００９９】
（付記１３）  該抽出ステップにおいて、嗜好情報格納部に予め格納された該ユーザの嗜好を示す嗜好情報に基づいて、該提示情報を抽出することを特徴とする、付記１２記載の情報提示方法。
（付記１４）  前記複数の情報群がＴＶ番組をそなえることを特徴とする、付記１２又は付記１３記載の情報提示方法。
【０１００】
（付記１５）  該情報群が動画データをそなえることを特徴とする、付記１２〜付記１４のいずれか１項に記載の情報提示方法。
（付記１６）  ユーザに情報を提示する情報提示機能をコンピュータに実行させるための情報提示プログラムであって、
複数の情報群のそれぞれの中から、該ユーザに提示する少なくとも一つの提示情報をそれぞれ抽出する抽出ステップと、
該抽出ステップにおいて各情報群毎に抽出された複数の該提示情報を、１の表示画面上に表示させる表示ステップとを、該コンピュータに実行させることを特徴とする、情報提示プログラム。
【０１０１】
（付記１７）  該抽出ステップにおいて、嗜好情報格納部に予め格納された該ユーザの嗜好を示す嗜好情報に基づいて、該提示情報を抽出するように、該コンピュータを実行させることを特徴とする、付記１６記載の情報提示プログラム。
（付記１８）  前記複数の情報群がＴＶ番組をそなえることを特徴とする、付記１６又は付記１７記載の情報提示プログラム。
【０１０２】
（付記１９）  該情報群が動画データをそなえることを特徴とする、付記１６〜付記１８のいずれか１項に記載の情報提示プログラム。
（付記２０）  ユーザに情報を提示する情報提示機能をコンピュータに実行させるための情報提示プログラムを記録したコンピュータ読取可能な記録媒体であって、
該情報提示プログラムが、
複数の情報群のそれぞれの中から、該ユーザに提示する少なくとも一つの提示情報をそれぞれ抽出する抽出ステップと、
該抽出ステップにおいて各情報群毎に抽出された複数の該提示情報を、１の表示画面上に表示させる表示ステップとを、該コンピュータに実行させることを特徴とする、情報提示プログラムを記録したコンピュータ読取可能な記録媒体。
【０１０３】
（付記２１）  情報提示プログラムが、
該抽出ステップにおいて、嗜好情報格納部に予め格納された該ユーザの嗜好を示す嗜好情報に基づいて、該提示情報を抽出するように、該コンピュータを実行させることを特徴とする、付記２０記載の情報提示プログラムを記録したコンピュータ読取可能な記録媒体。
【０１０４】
（付記２２）  前記複数の情報群がＴＶ番組をそなえることを特徴とする、付記２０又は付記２１記載の情報提示プログラムを記録したコンピュータ読取可能な記録媒体。
（付記２３）  該情報群が動画データをそなえることを特徴とする、付記２０〜付記２２のいずれか１項に記載の情報提示プログラムを記録したコンピュータ読取可能な記録媒体。
【産業上の利用可能性】
【０１０５】
ＴＶ番組や動画データ，ネット動画以外の種々の情報をユーザに対して提示する用途にも適用できる。
【図面の簡単な説明】
【０１０６】
【図１】本発明の一実施形態としての情報処理装置の構成を模式的に示す図である。
【図２】本発明の一実施形態としての情報処理装置１における抽出部１２による提示ＴＶ番組の抽出手法を説明するための図である。
【図３】本発明の一実施形態としての情報処理装置における提示ＴＶ番組の抽出に際して用いられる評価アルゴリズムを説明するための図である。
【図４】本発明の一実施形態としての情報処理装置における嗜好に基づく推奨情報の表示画面の例を示す図である。
【図５】本発明の一実施形態としての情報処理装置における嗜好に基づく推奨情報の表示画面の例を示す図である。
【図６】本発明の一実施形態としての情報処理装置における嗜好に基づく推奨情報の表示画面の例を示す図である。
【図７】本発明の一実施形態としての情報処理装置における嗜好に基づく推奨情報の表示画面の例を示す図である。
【図８】本発明の一実施形態としての情報処理装置における嗜好に基づく推奨情報の表示画面の例を示す図である。
【図９】本発明の一実施形態としての情報処理装置におけるソフトウェア構成を模式的に示す図である。
【図１０】本発明の一実施形態としての情報処理装置１の利用方法を説明するためのフローチャートである。
【図１１】変形形態を模式的に示す図である。
【図１２】変形形態における表示画面の例を示す図である。
【図１３】変形形態の情報提示プログラム（ＡＶソフト）による処理の流れを示すフローチャートである。
【図１４】変形形態の情報提示プログラム（ＡＶソフト）による処理の流れを示すフローチャートである。
【図１５】従来のＰＣを用いたＴＶ番組視聴システムにおけるおすすめ番組提示手法を説明するための図である。
【符号の説明】
【０１０７】
１    情報処理装置（情報提示装置）
１０    ＣＰＵ
１１    制御部
１２    抽出部
１３    エージェント
１４    録画・再生部
２１    ディスプレイ
２２    表示制御部
２３    ＲＡＭ
２４    ＲＯＭ
２５    チューナ
２６    ＬＡＮインタフェース
２７    ＨＤＤ（嗜好情報格納部）
２８    リモコン
３１    放送局
３２    ニュースサーバ
３３    ＳＩサーバ
５０    嗜好に基づく推奨情報の表示画面
５１    ニュースヘッドライン領域
５２    ＴＶ番組情報領域
５３    動画データ情報領域
２５１    アンテナ
２７１    録画データＤＢ
２７２    出現頻度リスト（嗜好情報）
２７３    録画予約履歴情報
５１１，５２１，５３１    アイコン
【図１】
2009116845.tif 000003
【図２】
2009116845.tif 000004
【図３】
2009116845.tif 000005
【図４】
2009116845.tif 000006
【図５】
2009116845.tif 000007
【図６】
2009116845.tif 000008
【図７】
2009116845.tif 000009
【図８】
2009116845.tif 000010
【図９】
2009116845.tif 000011
【図１０】
2009116845.tif 000012
【図１１】
2009116845.tif 000013
【図１２】
2009116845.tif 000014
【図１３】
2009116845.tif 000015
【図１４】
2009116845.tif 000016
【図１５】
2009116845.tif 000017